(57)【要約】【課題】個々の基地局に適したオン／オフ制御をより少ない負担で行うことを可能にする【解決手段】基地局をスリープ状態にする複数のスリープモードの中から対象基地局のために選択されたスリープモードを示す情報を取得する取得部と、上記対象基地局のために選択された上記スリープモードを上記対象基地局に適用する適用部と、を備える通信制御装置が提供される。【選択図】図６
2015061262.tif 000002
【特許請求の範囲】
【請求項１】
基地局をスリープ状態にする複数のスリープモードの中から対象基地局のために選択されたスリープモードを示す情報を取得する取得部と、
前記対象基地局のために選択された前記スリープモードを前記対象基地局に適用する適用部と、
を備える通信制御装置。
【請求項２】
前記複数のスリープモードは、異なる切り口から基地局をスリープ状態にする２種類以上のスリープモードを含む、請求項１に記載の通信制御装置。
【請求項３】
前記複数のスリープモードは、いずれかの周波数帯域で基地局をスリープ状態にする１つ以上の周波数スリープモードを含む、請求項２に記載の通信制御装置。
【請求項４】
前記複数のスリープモードは、異なる粒度の周波数帯域で基地局をスリープ状態にする少なくとも２つの周波数スリープモードを含む、請求項３に記載の通信制御装置。
【請求項５】
前記複数のスリープモードは、いずれかのチャネルで基地局をスリープ状態にする１つ以上のチャネルスリープモードを含む、請求項２に記載の通信制御装置。
【請求項６】
前記複数のスリープモードは、異なるチャネルで基地局をスリープ状態にする少なくとも２つのチャネルスリープモードを含む、請求項５に記載の通信制御装置。
【請求項７】
前記複数のスリープモードは、ダウンリンク及びアップリンクの一方又は両方で基地局をスリープ状態にする１つ以上のリンクスリープモードを含む、請求項２に記載の通信制御装置。
【請求項８】
前記複数のスリープモードは、いずれかの時間に基地局をスリープ状態にする１つ以上の時間スリープモードを含む、請求項２に記載の通信制御装置。
【請求項９】
前記複数のスリープモードは、異なる粒度の時間で基地局をスリープ状態にする少なくとも２つの時間スリープモードを含む、請求項８に記載の通信制御装置。
【請求項１０】
前記取得部は、前記スリープモードを示す前記情報として、前記複数のスリープモードの中から前記対象基地局のために選択された２種類以上のスリープモードの組合せを示す情報を取得し、
前記適用部は、前記２種類以上のスリープモードの前記組合せを前記対象基地局に適用する、
請求項２に記載の通信制御装置。
【請求項１１】
前記取得部は、複数の対象基地局の各々について、前記複数のスリープモードの中から選択されたスリープモードを示す情報を取得し、
前記適用部は、前記複数の対象基地局の各々に、前記複数のスリープモードの中から選択された前記スリープモードを適用する、
請求項１に記載の通信制御装置。
【請求項１２】
前記適用部は、前記複数の対象基地局へのスリープモードの適用状況を考慮して、前記複数の対象基地局のうちのいずれかの対象基地局に、無線通信に関する所定の制御パラメータを適用する、請求項１１に記載の通信制御装置。
【請求項１３】
前記適用部は、スリープモードのスケジューリングを行うことにより、前記対象基地局のために選択された前記スリープモードを前記対象基地局に適用する、請求項１に記載の通信制御装置。
【請求項１４】
前記適用部は、周期的に前記スケジューリングを行う、請求項１３に記載の通信制御装置。
【請求項１５】
前記適用部は、スリープモードの要求に応じて前記スケジューリングを行う、請求項１３に記載の通信制御装置。
【請求項１６】
前記要求は、基地局による監視の結果に応じて発生する要求であり、
前記監視は、トラフィク量、端末装置数、被干渉レベル及び通信品質のうちのいずれかの監視を含む、
請求項１５に記載の通信制御装置。
【請求項１７】
前記複数のスリープモードの中から選択された前記スリープモードは、基地局に関する統計情報に基づいて選択されたスリープモードである、請求項１に記載の通信制御装置。
【請求項１８】
前記対象基地局のために選択された前記スリープモードの前記対象基地局への適用に対する評価の結果を示すフィードバック情報を取得する取得部をさらに備える、請求項１に記載の通信制御装置。
【請求項１９】
基地局をスリープ状態にする複数のスリープモードの中から対象基地局のために選択されたスリープモードを示す情報を取得することと、
プロセッサにより、前記対象基地局のために選択された前記スリープモードを前記対象基地局に適用することと、
を含む通信制御方法。
【請求項２０】
基地局をスリープ状態にする複数のスリープモードの中から選択されたスリープモードを示す情報が提供されると、当該スリープモードを示す当該情報を取得する取得部と、
前記スリープモードに従って基地局の動作を制御する制御部と、
を備える通信制御装置。
【発明の詳細な説明】
【技術分野】
【０００１】
本開示は、通信制御装置及び通信制御方法に関する。
【背景技術】
【０００２】
現在、３ＧＰＰ（Third  Generation  Partnership  Project）では、リリース１２において、スモールセルの強化（Small  Cell  Enhancement）の議論が盛んに行われている。特に、スモールセルの強化の議論の中で、スモールセルの基地局にオン／オフ動作を行わせること（“Small  Cell  On/Off”、“Small  Cell  Dormant”又は“Small  Cell  DRX”）の議論が注目を集めている。
【０００３】
ヘテロジーニアスネットワークにおいてスモールセルが高密度で配置されると、セル間で信号の相互干渉が発生し、通信品質が劣化するということが、広く知られている。また、通常、基地局は、端末装置の状況にかかわらず常に動作するので、スモールセルの増加に伴い、ネットワーク全体の消費電力が膨大になり得る。そのため、スモールセルの適応的なオン／オフ制御により、干渉を抑制し、及び／又はネットワーク全体の消費電力を低減させることが、望まれている。
【０００４】
関連する技術として、例えば、特許文献１には、アクティブモードと低消費電力での動作を行うための送信待機モードとの２種類の動作モードを用いることにより、低消費電力で基地局を動作させる技術が、開示されている。
【先行技術文献】
【特許文献】
【０００５】
【特許文献１】特開２０１２−５４９７１号公報
【発明の概要】
【発明が解決しようとする課題】
【０００６】
しかし、上記特許文献１に開示されている技術を含む従来の技術では、個々の基地局に適したオン／オフ制御を行うには大きな負担が生じ得る。具体的には、例えば、どのようなオン／オフ制御が適しているかは個々の基地局によって異なり得る。しかし、個々の基地局に個別に適したオン／オフ制御を設定することは、ネットワーク運用の観点で大きな負担が生じ得る。また、例えば、複数の基地局のオン／オフ制御をある制御エンティティが行う場合に、制御エンティティにより当該複数の基地局へ送信される制御信号が複雑になり、その結果、トラフィックの観点で大きな負担が生じ得る。例えばこのように、個々の基地局に適したオン／オフ制御を行うには大きな負担が生じ得る。
【０００７】
そこで、個々の基地局に適したオン／オフ制御をより少ない負担で行うことを可能にする仕組みが提供されることが望ましい。
【課題を解決するための手段】
【０００８】
本開示によれば、基地局をスリープ状態にする複数のスリープモードの中から対象基地局のために選択されたスリープモードを示す情報を取得する取得部と、上記対象基地局のために選択された上記スリープモードを上記対象基地局に適用する適用部と、を備える通信制御装置が提供される。
【０００９】
また、本開示によれば、基地局をスリープ状態にする複数のスリープモードの中から対象基地局のために選択されたスリープモードを示す情報を取得することと、プロセッサにより、上記対象基地局のために選択された上記スリープモードを上記対象基地局に適用することと、を含む通信制御方法が提供される。
【００１０】
また、本開示によれば、基地局をスリープ状態にする複数のスリープモードの中から選択されたスリープモードを示す情報が提供されると、当該スリープモードを示す当該情報を取得する取得部と、上記スリープモードに従って基地局の動作を制御する制御部と、を備える通信制御装置が提供される。
【発明の効果】
【００１１】
以上説明したように本開示によれば、個々の基地局に適したオン／オフ制御をより少ない負担で行うことが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１２】
【図１】本開示の実施形態に係る通信システムの概略的な構成の一例を示す説明図である。
【図２】本開示の実施形態に係るスリープモードマネージャ（ＳＭＭ）の構成の一例を示すブロック図である。
【図３】本開示の実施形態に係るマクロセル基地局の構成の一例を示すブロック図である。
【図４】本開示の実施形態に係るスモールセル基地局の構成の一例を示すブロック図である。
【図５】本開示の実施形態に係る端末装置の構成の一例を示すブロック図である。
【図６】本開示の実施形態に係る通信制御処理全体の概略的な流れの一例を示すシーケンス図である。
【図７】本開示の実施形態に係る基地局側の第１の通信制御処理の概略的な流れの一例を示すフローチャートである。
【図８】本開示の実施形態に係るＳＭＭ側の第１の通信制御処理の概略的な流れの一例を示すフローチャートである。
【図９】本開示の実施形態に係る基地局側の第２の通信制御処理の概略的な流れの一例を示すフローチャートである。
【図１０】本開示の実施形態に係る基地局側の第３の通信制御処理の概略的な流れの一例を示すフローチャートである。
【図１１】本開示の実施形態に係るＳＭＭ側の第２の通信制御処理の概略的な流れの一例を示すフローチャートである。
【図１２】本開示に係る技術が適用され得るサーバの概略的な構成の一例を示すブロック図である。
【図１３】本開示に係る技術が適用され得るｅＮＢの概略的な構成の第１の例を示すブロック図である。
【図１４】本開示に係る技術が適用され得るｅＮＢの概略的な構成の第２の例を示すブロック図である。
【図１５】本開示に係る技術が適用され得るスマートフォンの概略的な構成の一例を示すブロック図である。
【図１６】本開示に係る技術が適用され得るカーナビゲーション装置の概略的な構成の一例を示すブロック図である。
【発明を実施するための形態】
【００１３】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．通信システムの概略的な構成
２．スリープモードの具体例
３．各ノードの構成
３．１．スリープモードマネージャ（ＳＭＭ）の構成
３．２．マクロセル基地局の構成
３．３．スモールセル基地局の構成
３．４．端末装置の構成
４．処理の流れ
５．応用例
５．１．スリープモードマネージャ（ＳＭＭ）に関する応用例
５．２．マクロセル基地局に関する応用例
５．３．スモールセル基地局の構成
６．まとめ
【００１５】
＜＜１．通信システムの概略的な構成＞＞
まず、図１を参照して、本開示の実施形態に係る通信システム１の概略的な構成を説明する。図１は、本開示の実施形態に係る通信システム１の概略的な構成の一例を示す説明図である。図１を参照すると、通信システム１は、スリープモードマネージャ（Sleep  Mode  Manager：ＳＭＭ）１００、マクロセル基地局２００、スモールセル基地局３００及び端末装置４００を含む。通信システム１は、例えば、ＬＴＥ（Long  Term  Evolution）、ＬＴＥ−Ａｄｖａｎｃｅｄ、又はこれらに準ずる通信方式に従ったシステムである。
【００１６】
ＳＭＭ１００は、基地局のオン／オフ制御（即ち、オン／オフ動作の制御）を行う。本開示の実施形態では、ＳＭＭ１００は、スリープモードを基地局に適用することにより、基地局のオン／オフ制御を行う。ＳＭＭ１００は、例えば、マクロセル基地局２００及びスモールセル基地局３００にスリープモードを適用する。
【００１７】
マクロセル基地局２００は、マクロセル２０内に位置する端末装置４００との無線通信を行う。例えば、マクロセル基地局２００は、ＳＭＭ１００による制御に応じて、オン／オフ動作を行う。本開示の実施形態では、マクロセル基地局２００は、ＳＭＭ１００により適用されるスリープモードに従ってオン／オフ動作を行う。
【００１８】
スモールセル基地局３００は、スモールセル３０内に位置する端末装置４００との無線通信を行う。例えば、スモールセル基地局３００は、ＳＭＭ１００による制御に応じて、オン／オフ動作を行う。本開示の実施形態では、スモールセル基地局３００は、ＳＭＭ１００により適用されるスリープモードに従ってオン／オフ動作を行う。
【００１９】
端末装置４００は、基地局との無線通信を行う。例えば、端末装置４００は、マクロセル２０内に位置する場合に、マクロセル基地局２００との無線通信を行う。また、例えば、端末装置４００は、スモールセル３０内に位置する場合に、スモールセル基地局３００との無線通信を行う。
【００２０】
＜＜２．スリープモードの具体例＞＞
続いて、本開示の実施形態に係るスリープモードの具体例を説明する。
【００２１】
とりわけ本開示の実施形態では、基地局をスリープ状態にする複数のスリープモードが用意される。そして、当該複数のスリープモードの中から対象基地局（例えば、マクロセル基地局２００及び／又はスモールセル基地局３００）のために選択されたスリープモードが、当該対象基地局に適用される。
【００２２】
例えば、上記複数のスリープモードは、異なる切り口から基地局をスリープ状態にする２種類以上のスリープモードを含む。
【００２３】
・リンクスリープモード
例えば、上記複数のスリープモードは、ダウンリンク及びアップリンクの一方又は両方で基地局をスリープ状態にする１つ以上のリンクスリープモードを含む。
【００２４】
具体的には、例えば、上記複数のスリープモードは、ダウンリンク及びアップリンクの両方で基地局をスリープ状態にする第１のリンクスリープモード、ダウンリンクのみで基地局をスリープ状態にする第２のリンクスリープモード、及びアップリンクのみで基地局をスリープ状態にする第３のリンクスリープモードを含む。即ち、例えば以下のようなリンクスリープモードが用意される。
【００２５】
【表１】
2015061262.tif 000003
【００２６】
さらに、キャリアアグリゲーションが採用される場合には、コンポーネントキャリア（ＣＣ）の観点から、アップリンク及び／又はダウンリンクで基地局をスリープ状態にするリンクスリープモードが用意されてもよい。例えば、特定のコンポーネントキャリアにおいてアップリンク及び／又はダウンリンクで基地局をスリープ状態にするリンクスリープモードが用意されてもよい。
【００２７】
例えば、基地局の中には、ダウンリンク及びアップリンクのうちの一方のリンク方向でスリープ状態にすることが望ましい基地局も存在し得る。このような場合に、上記リンクスリープモードを用いることにより、当該一方のリンク方向限定で当該基地局をスリープ状態にすることが容易になる。
【００２８】
・時間スリープモード
例えば、上記複数のスリープモードは、いずれかの時間に基地局をスリープ状態にする１つ以上の時間スリープモードを含む。
【００２９】
さらに、例えば、上記複数のスリープモードは、異なる粒度の時間で基地局をスリープ状態にする少なくとも２つの時間スリープモードを含む。
【００３０】
具体的には、例えば、上記複数のスリープモードは、時間（hour）単位、分（minute）単位及び秒（second）単位でそれぞれ基地局をスリープ状態にする第１の時間スリープモード、第２の時間スリープモード及び第３の時間スリープモードを含む。また、例えば、上記複数のスリープモードは、無線フレーム単位及びサブフレーム単位でそれぞれ基地局をスリープ状態にする第４の時間スリープモード、第５の時間スリープモードを含む。また、例えば、上記複数のスリープモードは、任意の時間単位で基地局をスリープ状態にする第６の時間スリープモードを含む。即ち、例えば以下のような時間スリープモードが用意される。
【００３１】
【表２】
2015061262.tif 000004
【００３２】
例えば、基地局の中には、ある時間帯（例えば、夜間、又は特定の無線フレームなど）でスリープ状態にすることが望ましい基地局も存在し得る。このような場合に、上記時間スリープモードを用いることにより、当該時間帯限定で当該基地局をスリープ状態にすることが容易になる。
【００３３】
また、異なる粒度に対応する時間スリープモードが用意されることにより、様々な時間帯を少ない情報量で指定することが可能になる。一例として、基地局をスリープモードにすることが望ましい時間帯が特定の無線フレームである場合には、Ｍｏｄｅ−Ｔ４〜Ｍｏｄｅ−Ｔ６を用いることにより、当該時間帯を指定することが可能になる。また、この場合に、Ｍｏｄｅ−Ｔ４を用いることにより、他の時間スリープモードを用いるよりも、より少ない情報量で上記特定の無線フレームを指定することが可能になる。別の例として、基地局をスリープモードにすることが望ましい時間帯が夜間（例えば、０：００〜６：００）である場合には、Ｍｏｄｅ−Ｔ１〜Ｍｏｄｅ−Ｔ６のいずれかを用いることにより、当該時間帯を指定することが可能になる。また、この場合に、Ｍｏｄｅ−Ｔ１を用いることにより、他の時間スリープモードを用いるよりも、より少ない情報量で夜間を指定することが可能になる。なお、より少ない情報量で時間帯を指定することが可能になることにより、送信される情報量が少なくなり、オーバーヘッドが減少し得る。
【００３４】
・周波数スリープモード
例えば、上記複数のスリープモードは、いずれかの周波数帯域で基地局をスリープ状態にする１つ以上の周波数スリープモードを含む。
【００３５】
さらに、例えば、上記複数のスリープモードは、異なる粒度の周波数帯域で基地局をスリープ状態にする少なくとも２つの周波数スリープモードを含む。
【００３６】
具体的には、例えば、上記複数のスリープモードは、ＣＣ単位、リソースブロックグループ（ＲＢＧ）単位、リソースブロック（ＲＢ）単位及びサブキャリア単位でそれぞれ基地局をスリープ状態にする第１の周波数スリープモード、第２の周波数スリープモード、第３の周波数スリープモード及び第４の周波数スリープモードを含む。また、例えば、上記複数のスリープモードは、任意の帯域単位で基地局をスリープ状態にする第５の周波数スリープモードを含む。即ち、例えば以下のような周波数スリープモードが用意される。
【００３７】
【表３】
2015061262.tif 000005
【００３８】
例えば、基地局の中には、一部の周波数帯域（例えば、一部のＣＣ、又は一部のＲＢＧなど）でスリープ状態にすることが望ましい基地局も存在し得る。このような場合に、上記周波数スリープモードを用いることにより、当該一部の周波数帯域限定で当該基地局をスリープ状態にすることが容易になる。
【００３９】
また、異なる粒度に対応する周波数スリープモードが用意されることにより、様々な周波数帯域を少ない情報量で指定することが可能になる。一例として、基地局をスリープモードにすることが望ましい周波数帯域が一部のＲＢＧである場合には、Ｍｏｄｅ−Ｆ２〜Ｍｏｄｅ−Ｆ５を用いることにより、当該周波数帯域を指定することが可能になる。また、この場合に、Ｍｏｄｅ−Ｆ２を用いることにより、他の周波数スリープモードを用いるよりも、より少ない情報量で上記一部のＲＢＧを指定することが可能になる。別の例として、基地局をスリープモードにすることが望ましい周波数帯域が一部のＣＣである場合には、Ｍｏｄｅ−Ｆ１〜Ｍｏｄｅ−Ｆ５を用いることにより、当該周波数帯域を指定することが可能になる。また、この場合に、Ｍｏｄｅ−Ｆ１を用いることにより、他の周波数スリープモードを用いるよりも、より少ない情報量で上記一部のＣＣを指定することが可能になる。なお、より少ない情報量で時間帯を指定することが可能になることにより、送信される情報量が少なくなり、オーバーヘッドが減少し得る。
【００４０】
・チャネルスリープモード
例えば、上記複数のスリープモードは、いずれかのチャネルで基地局をスリープ状態にする１つ以上のチャネルスリープモードを含む。
【００４１】
さらに、例えば、上記複数のスリープモードは、異なるチャネルで基地局をスリープ状態にする少なくとも２つのチャネルスリープモードを含む。
【００４２】
具体的には、例えば、上記複数のスリープモードは、同期信号用のチャネルで基地局をスリープ状態にする第１のチャネルスリープモードを含む。上記同期信号は、例えば、ＰＳＳ（Primary  Synchronization  Signal）及びＳＳＳ（Secondary  Synchronization  Signal）を含む。
【００４３】
また、例えば、上記複数のスリープモードは、リファレンス信号用のチャネルで基地局をスリープ状態にする第２のチャネルスリープモードを含む。上記リファレンス信号は、例えば、ＣＲＳ（Cell  Specific  Reference  Signal）、ＤＭ−ＲＳ（Demodulation  Reference  Signal）、及び／又はＣＳＩ−ＲＳ（Channel  State  Information  Reference  Signal）などを含む。
【００４４】
また、例えば、上記複数のスリープモードは、制御信号用のチャネルで基地局をスリープ状態にする第３のチャネルスリープモードを含む。上記制御信号用の上記チャネルは、例えば、ＰＢＣＨ（Physical  Broadcast  Channel）、ＰＤＣＣＨ（Physical  Downlink  Control  Channel）、ＰＨＩＣＨ（Physical  Hybrid  ARQ  Indicator  Channel）、ＰＣＦＩＣＨ（Physical  Control  Format  Indicator  Channel）、ＰＣＨＩＣＨ（Physical  Control  Format  Indicator  Channel）、ＰＵＣＣＨ（Physical  Uplink  Control  Channel）、及び／又はＰＲＡＣＨ（Physical  Random  Access  Channel）などを含む。
【００４５】
また、例えば、上記複数のスリープモードは、データ信号用のチャネルで基地局をスリープ状態にする第４のチャネルスリープモードを含む。上記データ信号用の上記チャネルは、例えば、ＰＤＳＣＨ（Physical  Downlink  Shared  Channel）、ＰＵＳＣＨ（Physical  Uplink  Shared  Channel）及び／又はＰＢＣＨなどを含む。
【００４６】
また、例えば、上記複数のスリープモードは、任意のチャネルで基地局をスリープ状態にする第５のチャネルスリープモードを含む。
【００４７】
即ち、例えば以下のようなチャネルスリープモードが用意される。
【００４８】
【表４】
2015061262.tif 000006
【００４９】
例えば、基地局の中には、一部のチャネルでスリープ状態にすることが望ましい基地局も存在し得る。このような場合に、上記チャネルスリープモードを用いることにより、当該一部のチャネル限定で当該基地局をスリープ状態にすることが容易になる。
【００５０】
以上のように、異なる切り口から基地局をスリープ状態にする２種類以上のスリープモードが用意される。これにより、スリープモードを選択するだけで、多様な切り口でのスリープを実現することが可能になる。また、様々なスリープを少ない情報量で指定することが可能になる。結果として、送信される情報量が少なくなり、オーバーヘッドが減少し得る。このように、個々の基地局に適したオン／オフ制御をより少ない負担で行うことが可能となる。
【００５１】
なお、上記複数のスリープモードは、上述した例に限られず、様々なスリープモードを含み得る。
【００５２】
＜＜３．各ノードの構成＞＞
続いて、図２〜図５を参照して、本開示の実施形態に係るＳＭＭ１００、マクロセル基地局２００、スモールセル基地局３００及び端末装置４００の構成を説明する。
【００５３】
＜３．１．ＳＭＭの構成＞＞
まず、図２を参照して、本開示の実施形態に係るＳＭＭ１００の構成の一例を説明する。図２は、本開示の実施形態に係るＳＭＭ１００の構成の一例を示すブロック図である。図２を参照すると、ＳＭＭ１００は、通信部１１０、記憶部１２０及び処理部１３０を備える。
【００５４】
（通信部１１０）
通信部１１０は、他のノードと通信する。例えば、通信部１１０は、マクロセル基地局２００及びスモールセル基地局３００と通信する。
【００５５】
（記憶部１２０）
記憶部１２０は、ＳＭＭ１００の動作のためのプログラム及びデータを一時的にまたは恒久的に記憶する。
【００５６】
（処理部１３０）
処理部１３０は、ＳＭＭ１００の様々な機能を提供する。処理部１３０は、スリープモード情報取得部１３１、スリープモード適用部１３３及びフィードバック取得部１３５を含む。
【００５７】
（スリープモード情報取得部１３１）
スリープモード情報取得部１３１は、基地局をスリープ状態にする複数のスリープモードの中から対象基地局のために選択されたスリープモードを示す情報（以下、「スリープモード情報」と呼ぶ）を取得する。
【００５８】
・対象基地局
例えば、上記対象基地局は、スリープモードの適用の対象である基地局であり、マクロセル基地局２００又はスモールセル基地局３００である。一例として、スリープモード情報取得部１３１は、スリープモード適用部１３３により対象基地局を通知されると、当該対象基地局のために選択されたスリープモードを示す情報（即ち、スリープモード情報）を取得する。
【００５９】
・複数のスリープモード
上記複数のスリープモードは、異なる切り口から基地局をスリープ状態にする２種類以上のスリープモードを含む。上述したように、例えば、上記複数のスリープモードは、上記１つ以上のリンクスリープモード、上記１つ以上の時間スリープモード、上記１つ以上の周波数スリープモード、及び／又は上記１つ以上のチャネルスリープモードを含む。
【００６０】
・スリープモードの組合せ
例えば、スリープモード情報取得部１３１は、上記スリープモード情報として、上記複数のスリープモードの中から対象基地局のために選択された２種類以上のスリープモードの組合せを示す情報を取得する。
【００６１】
より具体的には、例えば、リンクスリープモード、時間スリープモード、周波数スリープモード及びチャネルスリープモードのうちの２つ以上のスリープモードの組合せが、対象基地局のために選択される。そして、スリープモード情報取得部１３１は、上記２つ以上のスリープモードの上記組合せを示すスリープモード情報を取得する。
【００６２】
一例として、Ｍｏｄｅ−Ｌ２（ダウンリンクのみでのスリープ）及びＭｏｄｅ−Ｔ５（サブフレーム単位でのスリープ）の組合せが基地局のために選択される。そして、スリープモード情報取得部１３１は、Ｍｏｄｅ−Ｌ２及びＭｏｄｅ−Ｔ５の組合せを示すスリープモード情報を取得する。このようなＭｏｄｅ−Ｌ２及びＭｏｄｅ−Ｔ５の組合せにより、ダウンリンクのみでサブフレーム単位で基地局をスリープ状態にすることが可能になる。
【００６３】
このようなスリープモードの組合せにより、さらに多様な切り口でのスリープを実現することが可能になる。即ち、個々の基地局により適したオン／オフ制御をより少ない負担で行うことが可能となる。
【００６４】
・複数の基地局のスリープモード情報
例えば、スリープモード情報取得部１３１は、複数の対象基地局の各々について、上記複数のスリープモードの中から選択されたスリープモードを示す情報（即ち、スリープモード情報）を取得する。
【００６５】
・スリープモードの選択
−オペレータによる選択
例えば、通信システム１のオペレータが、基地局のために、複数のスリープモードの中からいずれかのスリープモード（又はスリープモードの組合せ）を予め選択する。そして、予め選択された当該スリープモードを示すスリープモード情報が（例えば記憶部１２０に）記憶される。
【００６６】
通信システム１のオペレータは、例えば、基地局に関する統計情報に基づいて、スリープモードを選択する。具体的には、例えば、通信システム１のオペレータは、上記統計情報に基づいて、基地局をスリープ状態にすべき範囲を決定し、当該範囲の指定に適したスリープモードを選択する。
【００６７】
一例として、上記統計情報は、基地局のセルにおける時間帯ごとのトラフィック量の情報を含み、ある時間帯（例えば、夜間）のトラフィック量が極めて小さいことを示す。この場合に、通信システム１のオペレータは、当該統計情報に基づいて、消費電力の低減のために、基地局をスリープ状態にすべき範囲として、上記ある時間帯と一部の周波数帯域（例えば、一部のＣＣ）との組合せを決定する。そして、上記オペレータは、当該基地局のために、いずれかの時間スリープモード（例えば、Ｍｏｄｅ−Ｔ１）といずれかの周波数スリープモード（例えば、Ｍｏｄｅ−Ｆ１）との組合せを選択する。
【００６８】
別の例として、上記統計情報は、基地局のセルにおける時間帯ごとの端末装置数の情報を含み、ある時間帯（例えば、夜間）の端末装置数が極めて小さいことを示す。この場合に、通信システム１のオペレータは、当該統計情報に基づいて、消費電力の低減のために、基地局をスリープ状態にすべき範囲として、上記ある時間帯と一部の周波数帯域（例えば、一部のＣＣ）との組合せを決定する。そして、上記オペレータは、当該基地局のために、いずれかの時間スリープモード（例えば、Ｍｏｄｅ−Ｔ１）といずれかの周波数スリープモード（例えば、Ｍｏｄｅ−Ｆ１）との組合せを選択する。
【００６９】
さらに別の例として、上記統計情報は、基地局のセルにおけるチャネルごとの被干渉レベルの情報を含み、あるチャネル（例えば、データチャネル）の被干渉レベルが大きいことを示す。この場合に、通信システム１のオペレータは、当該統計情報に基づいて、セル間の干渉の低減のために、上記基地局の隣接基地局をスリープ状態にすべき範囲として、上記あるチャネル（例えば、データ信号用のチャネル）とある時間帯（例えば、あるサブフレーム）との組合せを決定する。そして、上記オペレータは、上記隣接基地局のために、上記あるチャネルでのスリープのためのスリープモード（Ｍｏｄｅ−Ｃ４）といずれかの時間スリープモード（例えば、Ｍｏｄｅ−Ｔ５）との組合せを選択する。
【００７０】
以上のように、スリープモードが選択され、スリープモード情報が記憶される。例えば、基地局をスリープ状態にすべき具体的な範囲を示す情報も、記憶され得る。一例として、当該範囲を示す情報は、スリープモード情報に対応するパラメータ情報として記憶される。具体例として、周波数スリープモード（例えば、Ｍｏｄｅ−Ｆ１）に対応するパラメータ情報として、具体的な周波数帯域を示す情報（例えば、特定のＣＣを示す情報）が記憶されてもよい。別の具体例として、時間スリープモード（例えば、Ｍｏｄｅ−Ｔ４）に対応するパラメータ情報として、具体的な時間を示す情報（例えば、ＳＦＮ（System  Frame  Number）などの、特定の無線フレームを示す情報）が記憶されてもよい。
【００７１】
なお、通信システム１のオペレータは、上記統計情報の代わりに、又は上記統計情報に加えて、基地局の位置を示す位置情報に基づいて、スリープモードを選択してもよい。例えば、基地局の位置に応じて当該基地局のセルでのトラフィック量が変わり得る。一例として、駅の中に位置する基地局のセルではトラフィック量が大きい。別の例として、郊外に位置する基地局のセルではトラフィック量は小さい。よって、基地局の位置に応じてスリープモードが選択され得る。
【００７２】
−ＳＭＭによる選択
通信システム１のオペレータの代わりに、ＳＭＭ１００（例えば、スリープモード情報取得部１３１）が、基地局のために、複数のスリープモードの中からいずれかのスリープモード（又はスリープモードの組合せ）を自動的に選択してもよい。
【００７３】
ＳＭＭ１００は、例えば、基地局に関する統計情報に基づいて、スリープモードを予め選択してもよい。この場合に、例えば上述したような統計情報に基づくスリープモードの選択が、オペレータによってではなく、ＳＭＭ１００によって自動で行われてもよい。そして、ＳＭＭ１００により予め選択された当該スリープモードを示すスリープモード情報が（例えば記憶部１２０に）記憶されてもよい。
【００７４】
あるいは、ＳＭＭ１００は、スリープモードを随時選択してもよい。この場合に、例えば、ＳＭＭ１００は、後述する基地局による監視結果（例えば、トラフィック量、端末装置数、被干渉レベル、又は通信品質など）に基づいて、スリープモードを随時選択してもよい。一例として、ある基地局のセルにおいて端末装置数が０である場合に、ＳＭＭ１００は、消費電力の低減のために、基地局をスリープ状態にすべき範囲として、一定の時間帯（例えば、所定数の無線フレーム）を決定してもよい。そして、上記オペレータは、当該基地局のために、いずれかの時間スリープモード（例えば、Ｍｏｄｅ−Ｔ４）を選択してもよい。別の例として、ある基地局により使用されるあるＣＣにおいて被干渉レベルが高く、通信品質（スループット）が低い場合に、ＳＭＭ１００は、セル間の干渉の低減のために、上記ある基地局の隣接基地局をスリープ状態にすべき範囲として、上記あるＣＣ及びある時間帯（例えば、あるサブフレーム）の組合せを決定してもよい。そして、上記オペレータは、当該基地局のために、いずれかの周波数スリープモード（例えば、Ｍｏｄｅ−Ｆ１）といずれかの時間スリープモード（例えば、Ｍｏｄｅ−Ｔ５）との組合せを選択してもよい。
【００７５】
なお、ＳＭＭ１００は、上記統計情報の代わりに、又は上記統計情報に加えて、基地局の位置を示す位置情報に基づいて、スリープモードを選択してもよい。また、ＳＭＭ１００は、上記統計情報の代わりに、又は上記統計情報に加えて、基地局をスリープ状態にする目的を示す情報に基づいて、スリープモードを選択してもよい。当該目的は、消費電力の低減と、セル間の干渉の低減とのいずれかであってもよい。上記目的は、基地局ごとに設定されてもよく、基地局のグループごとに設定されてもよく、又は通信システム１全体に設定されてもよい。
【００７６】
・スリープモード情報の取得手法
例えば上述したように、基地局のために、複数のスリープモードの中からいずれかのスリープモード（又はスリープモードの組合せ）が予め選択される。そして、選択されたスリープモード（又はスリープモードの組合せ）を示すスリープモード情報が（例えば記憶部１２０に）記憶される。この場合に、スリープモード情報取得部１３１は、記憶されているスリープモード情報を取得する。
【００７７】
あるいは、上述したように、基地局のために、複数のスリープモードの中からいずれかのスリープモード（又はスリープモードの組合せ）が随時選択されてもよい。この場合に、スリープモード情報取得部１３１は、随時選択されるスリープモードを示すスリープモード情報を随時取得してもよい。
【００７８】
（スリープモード適用部１３３）
スリープモード適用部１３３は、対象基地局のために選択された上記スリープモードを当該対象基地局に適用する。
【００７９】
例えば、スリープモード適用部１３３は、スリープモードの適用の対象である対象基地局をスリープモード情報取得部１３１に通知する。すると、スリープモード情報取得部１３１は、当該対象基地局についてのスリープモード情報を取得し、スリープモード適用部１３３は、取得された当該スリープモード情報により示されるスリープモードを上記対象基地局に適用する。当該スリープモードは、複数のスリープモードの中から上記対象基地局のために選択されたスリープモードである。
【００８０】
このように複数のスリープモードの中から選択されたスリープモードを適用することにより、スリープモードを選択するだけで、様々なスリープを実現することが可能になる。即ち、個々の基地局に適したオン／オフ制御をより少ない負担で行うことが可能となる。
【００８１】
・スリープモードの組合せの適用
例えば、スリープモード適用部１３３は、上記２種類以上のスリープモードの上記組合せを上記対象基地局に適用する。
【００８２】
より具体的には、例えば、スリープモード適用部１３３は、リンクスリープモード、時間スリープモード、周波数スリープモード及びチャネルスリープモードのうちの２つ以上のスリープモードの組合せを上記対象基地局に適用する。
【００８３】
一例として、上述したように、スリープモード情報が、Ｍｏｄｅ−Ｌ２及びＭｏｄｅ−Ｔ５の組合せを示す場合に、スリープモード適用部１３３は、Ｍｏｄｅ−Ｌ２及びＭｏｄｅ−Ｔ５の組合せを上記対象基地局に適用する。このようなＭｏｄｅ−Ｌ２及びＭｏｄｅ−Ｔ５の組合せにより、ダウンリンクのみでサブフレーム単位で基地局をスリープ状態にすることが可能になる。
【００８４】
このようなスリープモードの組合せの適用により、さらに多様な切り口でのスリープを実現することが可能になる。即ち、個々の基地局により適したオン／オフ制御をより少ない負担で行うことが可能となる。
【００８５】
・スリープモードの適用の手法
例えば、スリープモード適用部１３３は、スリープモードのスケジューリングを行うことにより、上記対象基地局のために選択された上記スリープモードを上記対象基地局に適用する。
【００８６】
より具体的には、例えば、スリープモード適用部１３３は、スリープモード情報と、当該スリープモード情報に対応するパラメータ情報（基地局をスリープ状態にすべき具体的な範囲を示す情報）とに基づいて、スリープモードのスケジューリング情報を生成する。そして、スリープモード適用部１３３は、通信部１１０を介して、対象基地局にスケジューリング情報を提供する。これにより、スリープモードが対象基地局により適用される。
【００８７】
−スケジューリング情報
上記スケジューリング情報は、例えば、スリープモード（又はスリープモードの組合せ）を示すスリープモード情報、当該スリープモード情報に対応するパラメータ情報（基地局をスリープ状態にすべき具体的な範囲を示す情報）を含む。
【００８８】
さらに、上記スケジューリング情報は、例えば、有効期間（スケジューリングが有効である期間）を示す情報、及び／又は有効領域（スケジューリングが有効である地理的な領域）を示す情報を含む。
【００８９】
−スケジューリングのトリガ
−−周期的なスケジューリング
第１の例として、スリープモード適用部１３３は、周期的にスリープモードのスケジューリングを行う。即ち、スリープモード適用部１３３は、周期的なスケジューリングを行う。これにより、例えば、基地局をスリープ状態にすべき具体的な範囲が予め決定されている場合に、自動で確実に基地局をスリープ状態にすることが可能になる。
【００９０】
このような周期的なスケジューリングでは、スケジューリングの対象基地局（即ち、スリープモードの適用の対象の基地局）は、例えば、到来する周期でスリープモードを行うことが決定されている基地局である。
【００９１】
−−非周期的なスケジューリング
第２の例として、スリープモード適用部１３３は、スリープモードの要求に応じて上記スケジューリングを行う。即ち、スリープモード適用部１３３は、非周期的なスケジューリングを行う。これにより、例えば、必要に応じて随時基地局をスリープ状態にすることが可能になる。
【００９２】
具体的には、例えば、ある基地局が、スリープモードのスケジューリングを要求する。すると、スリープモード適用部１３３は、上記ある基地局の周辺の基地局とのスリープモードのコーディネーション（例えば、スリープ状態の確認など）を行い、上記ある基地局又は上記ある基地局の周辺の基地局について、スリープモードのスケジューリングを行うかを判定する。そして、判定が真であれば、スリープモード適用部１３３は、スリープモードのスケジューリングを行う。
【００９３】
このような非周期的なスケジューリングでは、スケジューリングの対象基地局（即ち、スリープモードの適用の対象の基地局）は、例えば、上記要求を行った基地局、又は当該基地局の周辺の基地局である。
【００９４】
上記要求は、例えば、基地局による監視の結果に応じて発生する要求である。これにより、例えば、基地局の状況に応じて基地局をスリープ状態にすることが可能になる。
【００９５】
上記監視は、例えば、トラフィク量、端末装置数、被干渉レベル及び通信品質のうちのいずれかの監視を含む。これにより、例えば、消費電力の低減、又はセル間の干渉の低減の必要性に応じて基地局をスリープ状態にすることが可能になる。
【００９６】
なお、上記周期的なスケジューリング及び上記非周期的スケジューリングの一方が採用されてもよく、又は上記周期的なスケジューリング及び上記非周期的スケジューリングの両方が採用されてもよい。
【００９７】
・複数の基地局へのスリープモードの適用
例えば、スリープモード適用部１３３は、複数の対象基地局の各々に、上記複数のスリープモードの中から選択されたスリープモードを適用する。
【００９８】
なお、スリープモード適用部１３３は、上記複数の対象基地局のうちの他の対象基地局へのスリープモードの適用を考慮して、上記複数の対象基地局のうちのいずれかの対象基地局にスリープモードを適用してもよい。例えば、スリープモード適用部１３３は、上記他の対象基地局についてのスリープモードのスケジューリングを考慮して、上記いずれかの対象基地局についてのスリープモードのスケジューリングを行ってもよい。
【００９９】
一例として、隣接する２つのスモールセル基地局３００が時間軸で交互にスリープ状態になるように、当該２つのスモールセル基地局３００についてのスリープモードのスケジューリングが行われてもよい。より具体的には、一方のスモールセル基地局３００がスリープ状態である期間では、他方のスモールセル基地局３００がオン状態となるように、上記スケジューリングが行われてもよい。これにより、上記２つのスモールセル基地局３００が同時にスリープ状態にならない。
【０１００】
また、スリープモード適用部１３３は、上記複数の対象基地局へのスリープモードの適用状況を考慮して、上記複数の対象基地局のうちのいずれかの対象基地局に、無線通信に関する所定の制御パラメータを適用してもよい。
【０１０１】
一例として、スリープモード適用部１３３は、第１のスモールセル基地局３００がある期間においてスリープ状態であることを考慮して、当該第１のスモールセル基地局３００の近傍に位置する第２のスモールセル基地局３００に、より大きい送信電力を適用してもよい。その結果、第２のスモールセル基地局３００のスモールセル３０が拡大され、スリープ状態である第１のスモールセル基地局３００のスモールセル３０の一部又は全体がカバーされ得る。
【０１０２】
このように、上記所定の制御パラメータの適用により、例えば複数の基地局が互いにフォローすることが可能になる。
【０１０３】
（フィードバック取得部１３５）
フィードバック取得部１３５は、対象基地局のために選択されたスリープモードの当該対象基地局への適用に対する評価の結果を示すフィードバック情報を取得する。
【０１０４】
後述するように、上記フィードバック情報は、例えば、スリープモード適用時における消費電力の削減量、又は、スリープモード適用時における被干渉レベル及び／若しくは通信品質（例えば、スループット）などを含む。
【０１０５】
これにより、基地局をスリープ状態にすべき具体的な範囲の決定、及びスリープモードの選択などに、上記フィードバック情報を反映することが可能になる。その結果、例えば、上記範囲の決定、及び上記スリープモードの選択などが、将来より適切に行われ得る。即ち、より高い精度の基地局のスリープが実現され得る。なお、上記フィードバック情報の反映は、通信システム１のオペレータにより行われてもよく、ＳＭＭ１００（例えば、フィードバック取得部１３５）により自動で行われてもよい。
【０１０６】
＜３．２．マクロセル基地局の構成＞＞
次に、図３を参照して、本開示の実施形態に係るマクロセル基地局２００の構成の一例を説明する。図３は、本開示の実施形態に係るマクロセル基地局２００の構成の一例を示すブロック図である。図３を参照すると、マクロセル基地局２００は、アンテナ部２１０、無線通信部２２０、ネットワーク通信部２３０、記憶部２４０及び処理部２５０を備える。
【０１０７】
（アンテナ部２１０）
アンテナ部２１０は、無線通信部２２０により出力された信号を電波として空間に放射する。また、アンテナ部２１０は、空間の電波を信号に変換し、当該信号を無線通信部２２０へ出力する。
【０１０８】
（無線通信部２２０）
無線通信部２２０は、無線通信を行う。例えば、無線通信部２２０は、マクロセル２０内に位置する端末装置４００へのダウンリンク信号を送信し、マクロセル２０内に位置する端末装置４００からのアップリンク信号を受信する。
【０１０９】
（ネットワーク通信部２３０）
ネットワーク通信部２３０は、他のノードと通信する。例えば、ネットワーク通信部２３０は、ＳＭＭ１００と通信する。また、例えば、ネットワーク通信部２３０は、他のマクロセル基地局２００及び／又はスモールセル基地局３００と通信する。
【０１１０】
（記憶部２４０）
記憶部２４０は、マクロセル基地局２００の動作のためのプログラム及びデータを記憶する。
【０１１１】
（処理部２５０）
処理部２５０は、マクロセル基地局２００の様々な機能を提供する。処理部２５０は、監視部２５１、スリープモード要求部２５３、情報取得部２５５、制御部２５７及びフィードバック部２５９を含む。
【０１１２】
（監視部２５１）
監視部２５１は、マクロセル２０における監視を行う。当該監視は、例えば、トラフィク量、端末装置数、被干渉レベル及び通信品質のうちのいずれかの監視を含む。
【０１１３】
例えば、監視部２５１は、マクロセル２０におけるトラフィック量を監視する。より具体的には、例えば、監視部２５１は、マクロセル２０におけるダウンリンクのトラフィック量及びアップリンクのトラフィック量を測定する。そして、監視部２５１は、測定された上記トラフィック量が所定の閾値未満である場合に、測定された上記トラフィック量を監視結果としてスリープモード要求部２５３に通知する。
【０１１４】
例えば、監視部２５１は、マクロセル２０における端末装置数を監視する。より具体的には、例えば、監視部２５１は、マクロセル基地局２００と接続されている端末装置４００の数を測定する。そして、監視部２５１は、測定された上記数が所定の閾値未満である場合に、測定された上記数を監視結果としてスリープモード要求部２５３に通知する。
【０１１５】
例えば、監視部２５１は、マクロセル２０における被干渉レベルを監視する。より具体的には、例えば、監視部２５１は、隣接セルからマクロセル２０への干渉のレベルを測定する。そして、監視部２５１は、測定された上記干渉のレベルが所定の閾値を超える場合に、測定された上記干渉のレベルを監視結果としてスリープモード要求部２５３に通知する。
【０１１６】
例えば、監視部２５１は、マクロセル２０における通信品質を監視する。より具体的には、例えば、監視部２５１は、マクロセル２０における通信品質（例えば、スループット）を測定する。そして、監視部２５１は、測定された上記通信品質が所定の閾値未満である場合に、測定された上記通信品質を監視結果としてスリープモード要求部２５３に通知する。
【０１１７】
（スリープモード要求部２５３）
スリープモード要求部２５３は、スリープモードの要求を行う。
【０１１８】
例えば、スリープモード要求部２５３は、マクロセル２０における監視の結果に応じて、ＳＭＭ１００にスリープモードの要求を行う。より具体的には、例えば、スリープモード要求部２５３は、監視部２５１により監視結果を通知されると、ネットワーク通信部２３０を介して、ＳＭＭ１００にスリープモードのスケジューリング要求を行う。
【０１１９】
上記要求は、例えば、スリープモードの要求の目的、及び監視結果を含む。上記目的は、例えば、消費電力の低減、又はセル間の干渉の低減である。上記監視結果は、例えば、マクロセル２０におけるトラフィック量、端末装置数、被干渉レベル及び／又は通信品質（例えば、スループット）である。
【０１２０】
（情報取得部２５５）
・スリープモード情報の取得
情報取得部２５５は、基地局をスリープ状態にする複数のスリープモードの中から選択されたスリープモードを示すスリープモード情報が提供されると、当該スリープモード情報を取得する。
【０１２１】
例えば、ＳＭＭ１００は、上記スリープモード情報を含むスリープモードのスケジューリング情報をマクロセル基地局２００に提供する。そして、情報取得部２５５は、上記スケジューリング情報を取得し、当該スケジューリング情報に含まれる上記スリープモード情報を取得する。
【０１２２】
なお、上記スケジューリング情報は、例えば、上記スリープモード情報に対応するパラメータ情報（基地局をスリープ状態にすべき具体的な範囲を示す情報）をさらに含む。また、上記スケジューリング情報は、例えば、有効期間（スケジューリングが有効である期間）を示す情報、及び／又は有効領域（スケジューリングが有効である地理的な領域）を示す情報をさらに含む。
【０１２３】
・端末装置へのスケジューリング情報の通知
さらに、情報取得部２５５は、例えば、スリープモードのスケジューリング情報を端末装置４００に通知する。
【０１２４】
具体的には、例えば、情報取得部２５５は、ＳＭＭ１００により提供される上記スケジューリング情報を取得すると、マクロセル基地局２００との無線通信を行う端末装置４００のために、スリープモードのスケジューリング情報を生成する。そして、情報取得部２５５は、無線通信部２２０を介して、生成された当該スケジューリング情報を端末装置４００に通知する。この通知は、報知チャネル（例えば、ＰＢＣＨ）での端末装置４００への報知であってもよく、又は他の制御チャネル（例えば、ＰＤＣＣＨ）での端末装置４００への個別の通知であってもよい。
【０１２５】
このような通知により、例えば、端末装置４００は、基地局のスリープ状態を考慮して動作することが可能になる。一例として、端末装置４００は、スリープ状態である基地局を測定（measurement）の対象から除外することが可能になる。
【０１２６】
なお、端末装置４００に通知される上記スケジューリング情報は、端末装置４００のケイパビリティを考慮して生成されてもよい。例えば、キャリアアグリゲーションをサポートしていない端末装置４００には、ＣＣ単位でのスリープに関する情報は不要である。よって、当該端末装置４００に通知されるスケジューリング情報は、ＣＣ単位でのスリープに関する上記情報が含まれないように生成されてもよい。
【０１２７】
（制御部２５７）
制御部２５７は、スリープモードに従ってマクロセル基地局２００の動作を制御する。
【０１２８】
例えば、制御部２５７は、上記スケジューリング情報に含まれるスリープモード情報により示されるスリープモードに従ってマクロセル基地局２００を動作させる。より具体的には、例えば、マクロセル基地局２００が、上記スケジューリング情報により示される有効領域内に位置する場合に、制御部２５７は、上記スケジューリング情報により示される有効期間に、上記スリープモードに従ってマクロセル基地局２００にオン／オフ動作を行わせる。
【０１２９】
一例として、上記スリープモード情報が、Ｍｏｄｅ−Ｆ１（ＣＣ単位でのスリープ）を示す。この場合に、制御部２５７は、上記パラメータ情報により示されるＣＣにおいて、マクロセル基地局２００をスリープ状態にする。
【０１３０】
別の例として、上記スリープモード情報が、Ｍｏｄｅ−Ｔ５（サブフレーム単位でのスリープ）を示す。この場合に、制御部２５７は、上記パラメータ情報により示されるサブフレームにおいて、マクロセル基地局２００をスリープ状態にする。
【０１３１】
さらに別の例として、上記スリープモード情報が、Ｍｏｄｅ−Ｌ２（ダウンリンクのみでのスリープ）及びＭｏｄｅ−Ｔ５（サブフレーム単位でのスリープ）の組合せを示す。この場合に、制御部２５７は、上記パラメータ情報により示されるサブフレームにおいて、ダウンリンクでマクロセル基地局２００をスリープ状態にする。
【０１３２】
（フィードバック部２５９）
フィードバック部２５９は、マクロセル基地局２００のために選択されたスリープモードのマクロセル基地局２００への適用に対する評価の結果を示すフィードバック情報を提供する。
【０１３３】
例えば、フィードバック部２５９は、スリープモードに従った動作の実行後に、スリープモードのマクロセル基地局２００への適用に対する評価を行う。そして、フィードバック部２５９は、上記評価の結果を示すフィードバック情報をＳＭＭ１００に提供する。例えば、フィードバック部２５９は、上記評価の結果が所定の条件を満たす場合に、上記フィードバック情報をＳＭＭ１００に提供する。また、上記評価の結果は、評価パラメータの値を含む。
【０１３４】
上記評価は、例えば、基地局をスリープ状態にする目的に応じて行われる。当該目的は、例えば、消費電力の低減、又はセル間での干渉の低減である。
【０１３５】
例えば、上記目的が、消費電力の低減である場合に、上記評価は、消費電力の低減についての評価であり、上記評価の結果は、スリープモード適用時における消費電力の削減量を含む。そして、上記削減量が所定の条件を満たす場合（例えば、上記削減量が所定の閾値を超える場合、又は上記削減量が所定の閾値未満である場合など）に、上記フィードバック情報がＳＭＭ１００に提供される。当該フィードバック情報は、例えば、消費電力の上記削減量を含む。なお、上記フィードバック情報は、トラフィック量及び端末装置数などの、消費電力の前提の情報をさらに含んでもよい。
【０１３６】
例えば、上記目的が、セル間での干渉の低減である場合に、上記評価は、セル間での干渉の低減についての評価であり、上記評価の結果は、スリープモード適用時における被干渉レベル及び／又は通信品質（例えば、スループット）を含む。そして、上記被干渉レベル及び／又は上記通信品質が所定の条件を満たす場合（例えば、上記被干渉レベルが所定の閾値を超える場合、又は上記被干渉レベルが所定の閾値未満である場合など）に、上記フィードバック情報がＳＭＭ１００に提供される。当該フィードバック情報は、当該被干渉レベル及び／又は当該通信品質を含む。
【０１３７】
なお、上記評価は、端末装置４００により提供される情報（例えば、端末装置４００についての被干渉レベル又は通信品質など）に基づいて行われてもよい。
【０１３８】
＜３．３．スモールセル基地局の構成＞＞
次に、図４を参照して、本開示の実施形態に係るスモールセル基地局３００の構成の一例を説明する。図４は、本開示の実施形態に係るスモールセル基地局３００の構成の一例を示すブロック図である。図３を参照すると、スモールセル基地局３００は、アンテナ部３１０、無線通信部３２０、ネットワーク通信部３３０、記憶部３４０及び処理部３５０を備える。
【０１３９】
（アンテナ部３１０）
アンテナ部３１０は、無線通信部３２０により出力された信号を電波として空間に放射する。また、アンテナ部３１０は、空間の電波を信号に変換し、当該信号を無線通信部３２０へ出力する。
【０１４０】
（無線通信部３２０）
無線通信部３２０は、無線通信を行う。例えば、無線通信部３２０は、スモールセル３０内に位置する端末装置４００へのダウンリンク信号を送信し、スモールセル３０内に位置する端末装置４００からのアップリンク信号を受信する。
【０１４１】
（ネットワーク通信部３３０）
ネットワーク通信部３３０は、他のノードと通信する。例えば、ネットワーク通信部３３０は、ＳＭＭ１００と通信する。また、例えば、ネットワーク通信部３３０は、マクロセル基地局２００及び／又は他のスモールセル基地局３００と通信する。
【０１４２】
（記憶部３４０）
記憶部３４０は、スモールセル基地局３００の動作のためのプログラム及びデータを記憶する。
【０１４３】
（処理部３５０）
処理部３５０は、スモールセル基地局３００の様々な機能を提供する。処理部３５０は、監視部３５１、スリープモード要求部３５３、情報取得部３５５、制御部３５７及びフィードバック部３５９を含む。
【０１４４】
なお、監視部３５１、スリープモード要求部３５３、情報取得部３５５、制御部３５７及びフィードバック部３５９は、それぞれ、上述したマクロセル基地局２００の監視部２５１、スリープモード要求部２５３、情報取得部２５５、制御部２５７及びフィードバック部２５９と同様に動作する。
【０１４５】
＜３．４．端末装置の構成＞＞
次に、図５を参照して、本開示の実施形態に係る端末装置４００の構成の一例を説明する。図５は、本開示の実施形態に係る端末装置４００の構成の一例を示すブロック図である。図５を参照すると、端末装置４００は、アンテナ部４１０、無線通信部４２０、記憶部４３０、入力部４４０、表示部４５０及び処理部４６０を備える。
【０１４６】
（アンテナ部４１０）
アンテナ部４１０は、無線通信部４２０により出力された信号を電波として空間に放射する。また、アンテナ部４１０は、空間の電波を信号に変換し、当該信号を無線通信部４２０へ出力する。
【０１４７】
（無線通信部４２０）
無線通信部４２０は、無線通信を行う。例えば、無線通信部４２０は、端末装置４００がマクロセル２０内に位置する場合に、マクロセル基地局２００からのダウンリンク信号を受信し、マクロセル基地局２００へのアップリンク信号を送信する。また、例えば、無線通信部４２０は、端末装置４００がスモールセル３０内に位置する場合に、スモールセル基地局３００からのダウンリンク信号を受信し、スモールセル基地局３００へのアップリンク信号を送信する。
【０１４８】
（記憶部４３０）
記憶部４３０は、端末装置４００の動作のためのプログラム及びデータを記憶する。
【０１４９】
（入力部４４０）
入力部４４０は、端末装置４００のユーザによる入力を受け付ける。そして、入力部４４０は、入力結果を処理部４６０に提供する。
【０１５０】
（表示部４５０）
表示部４５０は、端末装置４００のユーザに見せるための画面を表示する。例えば、表示部４５０は、処理部４６０による制御に応じて、上記画面を表示する。
【０１５１】
（処理部４６０）
処理部４６０は、端末装置４００の様々な機能を提供する。
【０１５２】
例えば、基地局（マクロセル基地局２００又はスモールセル基地局３００）が、スリープモードのスケジューリング情報を端末装置４００に提供する。すると、処理部４６０は、当該スケジューリング情報を取得する。そして、処理部４６０は、上記基地局のスリープ状態を考慮して、端末装置４００の動作を制御する。一例として、処理部４６０は、スリープ状態である基地局を測定（measurement）の対象から除外する。
【０１５３】
＜＜４．処理の流れ＞＞
続いて、図６〜図１１を参照して、本開示の実施形態に係る通信制御処理の例を説明する。
【０１５４】
（全体の処理）
図６は、本開示の実施形態に係る通信制御処理全体の概略的な流れの一例を示すシーケンス図である。
【０１５５】
マクロセル基地局２００は、マクロセル２０における監視を行い（Ｓ５０１）、スモールセル基地局３００は、スモールセル３０における監視を行う（Ｓ５０３）。そして、マクロセル基地局２００及びスモールセル基地局３００は、ＳＭＭ１００にスリープモードのスケジューリング要求を行う（Ｓ５０５、Ｓ５０７）。
【０１５６】
ＳＭＭ１００は、スリープモードのスケジューリングを行うかを判定する（Ｓ５０９）。そして、例えば、当該スケジューリングを行うと判定される。すると、ＳＭＭ１００は、スリープモードのスケジューリング情報を生成する（Ｓ５１１）。そして、ＳＭＭ１００は、マクロセル基地局２００及びスモールセル基地局３００に上記スケジューリング情報を提供する（Ｓ５１３、Ｓ５１５）。
【０１５７】
そして、マクロセル基地局２００及びスモールセル基地局３００は、端末装置用のスケジューリング情報を生成し（Ｓ５１７、Ｓ５１９）、端末装置４００に通知する（Ｓ５２１、Ｓ５２３）。また、マクロセル基地局２００及びスモールセル基地局３００は、ＳＭＭ１００により提供された上記スケジューリング情報の中のスリープモード情報により示されるスリープモードに従って、マクロセル基地局２００を動作させる（Ｓ５２５、Ｓ５２７）。
【０１５８】
その後、マクロセル基地局２００及びスモールセル基地局３００は、スリープモードの適用に対する評価の結果を示すフィードバック情報を生成し（Ｓ５３１、Ｓ５３３）、当該フィードバック情報をＳＭＭ１００に提供する（Ｓ５３５、Ｓ５３７）。
【０１５９】
その後、ＳＭＭ１００は、上記フィードバック情報を取得し、取得した当該フィードバック情報を、基地局をスリープ状態にすべき具体的な範囲の決定、及びスリープモードの選択などに反映する（Ｓ５３９）。
【０１６０】
（基地局側の第１の処理：監視及びスリープモードの要求）
図７は、本開示の実施形態に係る基地局側の第１の通信制御処理の概略的な流れの一例を示すフローチャートである。基地局側の当該第１の通信制御処理は、監視及びスリープモードの要求に係る処理であり、図６を参照して説明した通信制御処理のうちのステップＳ５０１及びＳ５０５、又はステップＳ５０３及びＳ５０７に対応する。以下では、マクロセル基地局２００が、基地局側の上記第１の通信制御処理を実行する例を説明するが、スモールセル基地局３００が、基地局側の上記第１の通信制御処理を実行してもよい。
【０１６１】
まず、監視部２５１は、監視パラメータ（例えば、トラフィク量、端末装置数、被干渉レベル及び／又は通信品質など）を測定する（Ｓ５５１）。そして、監視部２５１は、当該監視パラメータの値が所定の条件を満たすか（例えば、監視パラメータの値が所定の閾値を超えるか、又は監視パラメータの値が所定の閾値未満であるかなど）を判定する（Ｓ５５３）。
【０１６２】
上記監視パラメータの値が上記所定の条件を満たす場合には（Ｓ５５３：Ｙｅｓ）、監視部２５１は、上記監視パラメータの値をスリープモード要求部２５３に通知し、スリープモード要求部２５３は、ＳＭＭ１００にスリープモードのスケジューリング要求を行う（Ｓ５５５）。そして、処理は終了する。
【０１６３】
一方、上記監視パラメータが上記所定の条件を満たさない場合には（Ｓ５５３：Ｎｏ）、処理は終了する。
【０１６４】
（ＳＭＭ側の第１の処理：スケジューリングの実行の判定）
図８は、本開示の実施形態に係るＳＭＭ側の第１の通信制御処理の概略的な流れの一例を示すフローチャートである。ＳＭＭ側の当該第１の通信制御処理は、スリープモードのスケジューリングを行うかの判定に係る処理であり、図６を参照して説明した通信制御処理のうちのステップＳ５０９に対応する。
【０１６５】
まず、スリープモード適用部１３３は、基地局によるスケジューリング要求があったかを判定する（Ｓ５６１）。
【０１６６】
上記スケジューリング要求があった場合には（Ｓ５６１：Ｙｅｓ）、スリープモード適用部１３３は、スケジューリング要求を行った基地局の周辺の基地局のスリープ状態を考慮して、スリープモードのスケジューリングを行うことに問題がないかを判定する（Ｓ５６３）。
【０１６７】
上記スケジューリングを行うことに問題がない場合には（Ｓ５６３：Ｙｅｓ）、スリープモード適用部１３３は、スリープモードのスケジューリングを行うと判定する（Ｓ５６７）。そして、処理は終了する。
【０１６８】
一方、上記スケジューリング要求がなかった場合（Ｓ５６１：Ｎｏ）、又は上記スケジューリングを行うことに問題があった場合（Ｓ５６３：Ｎｏ）、スリープモード適用部１３３は、スリープモードのスケジューリングの周期が到来したかを判定する（Ｓ５６５）。
【０１６９】
上記周期が到来した場合には（Ｓ５６５：Ｙｅｓ）、スリープモード適用部１３３は、スリープモードのスケジューリングを行うと判定する（Ｓ５６７）。そして、処理は終了する。
【０１７０】
一方、上記周期が到来していない場合には（Ｓ５６５：Ｎｏ）、スリープモード適用部１３３は、スリープモードのスケジューリングを行わないと判定する（Ｓ５６９）。そして、処理は終了する。
【０１７１】
（基地局側の第２の処理：スリープモードに従った動作の制御）
図９は、本開示の実施形態に係る基地局側の第２の通信制御処理の概略的な流れの一例を示すフローチャートである。基地局側の当該第２の通信制御処理は、スリープモードに従った動作の制御に係る処理であり、図６を参照して説明した通信制御処理のうちのステップＳ５２５又はＳ５２７に対応する。以下では、マクロセル基地局２００が、基地局側の上記第２の通信制御処理を実行する例を説明するが、スモールセル基地局３００が、基地局側の上記第２の通信制御処理を実行してもよい。
【０１７２】
制御部２５７は、スリープ状態の開始タイミングまでマクロセル基地局２００を通常に動作させる（Ｓ５７１）。
【０１７３】
そして、制御部２５７は、上記開始タイミングから、スリープモードの終了タイミングまで、マクロセル基地局２００をスリープモード状態にする（Ｓ５７３）。
【０１７４】
その後、制御部２５７は、マクロセル基地局２００に通常の動作を再開させる（Ｓ５７５）。そして、処理は終了する。
【０１７５】
（基地局側の第３の処理：フィードバック）
図１０は、本開示の実施形態に係る基地局側の第３の通信制御処理の概略的な流れの一例を示すフローチャートである。基地局側の当該第３の通信制御処理は、フィードバックに係る処理であり、図６を参照して説明した通信制御処理のうちのステップＳ５３１及びＳ５３５、又はステップＳ５３３及びＳ５３７に対応する。以下では、マクロセル基地局２００が、基地局側の上記第３の通信制御処理を実行する例を説明するが、スモールセル基地局３００が、基地局側の上記第３の通信制御処理を実行してもよい。
【０１７６】
フィードバック部２５９は、スリープモードのマクロセル基地局２００への適用に対する評価を行い、評価パラメータ（例えば、スリープモードの適用時における消費電力の削減量又は被干渉レベルなど）を取得する（Ｓ５８１）。そして、フィードバック部２５９は、当該評価パラメータの値が所定の条件を満たすか（例えば、評価パラメータの値が所定の閾値を超えるか、又は評価パラメータの値が所定の閾値未満であるかなど）を判定する（Ｓ５８３）。
【０１７７】
上記評価パラメータの値が上記所定の条件を満たす場合には（Ｓ５８３：Ｙｅｓ）、フィードバック部２５９は、上記評価の結果を示すフィードバック情報をＳＭＭ１００に提供する（Ｓ５８５）。そして、処理は終了する。
【０１７８】
一方、上記評価パラメータが上記所定の条件を満たさない場合には（Ｓ５８３：Ｎｏ）、処理は終了する。
【０１７９】
（ＳＭＭ側の第２の処理：フィードバック）
図１１は、本開示の実施形態に係るＳＭＭ側の第２の通信制御処理の概略的な流れの一例を示すフローチャートである。ＳＭＭ側の当該第２の通信制御処理は、フィードバックに係る処理であり、図６を参照して説明した通信制御処理のうちのステップＳ５３９に対応する。
【０１８０】
フィードバック取得部１３５は、対象基地局のために選択されたスリープモードの当該対象基地局への適用に対する評価の結果を示すフィードバック情報を取得する（Ｓ５９１）。
【０１８１】
そして、フィードバック取得部１３５は、基地局をスリープ状態にすべき具体的な範囲の決定、及びスリープモードの選択などに、上記フィードバック情報を反映する（Ｓ５９３）。そして、処理は終了する。
【０１８２】
＜＜５．応用例＞＞
本開示に係る技術は、様々な製品へ応用可能である。例えば、ＳＭＭ１００は、タワーサーバ、ラックサーバ、又はブレードサーバなどのいずれかの種類のサーバとして実現されてもよい。また、ＳＭＭ１００は、サーバに搭載される制御モジュール（例えば、１つのダイで構成される集積回路モジュール、又はブレードサーバのスロットに挿入されるカード若しくはブレード）であってもよい。
【０１８３】
また、例えば、マクロセル基地局２００及びスモールセル基地局３００は、いずれかの種類のｅＮＢ（evolved  Node  B）として実現されてもよい。具体例として、マクロセル基地局２００は、マクロｅＮＢとして実現されてもよく、スモールセル基地局３００は、スモールｅＮＢとして実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、マクロセル基地局２００及びスモールセル基地局３００は、ＮｏｄｅＢ又はＢＴＳ（Base  Transceiver  Station）などの他の種類の基地局として実現されてもよい。マクロセル基地局２００及びスモールセル基地局３００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、マクロセル基地局２００又はスモールセル基地局３００として動作してもよい。
【０１８４】
また、例えば、端末装置４００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置４００は、Ｍ２Ｍ（Machine  To  Machine）通信を行う端末（ＭＴＣ（Machine  Type  Communication）端末ともいう）として実現されてもよい。さらに、端末装置４００は、これら端末に搭載される無線通信モジュール（例えば、１つのダイで構成される集積回路モジュール）であってもよい。
【０１８５】
＜５．１．スリープモードマネージャ（ＳＭＭ）に関する応用例＞
図１２は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１８６】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１８７】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１８８】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１８９】
図１２に示したサーバ７００において、図２を用いて説明したスリープモード情報取得部１３１、スリープモード適用部１３３、及びフィードバック取得部１３５は、プロセッサ７０１において実装されてもよい。
【０１９０】
＜５．２．基地局に関する応用例＞
（第１の応用例）
図１３は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１９１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１３に示したように複数のアンテナ８１０を有し、複数のアンテナ８１０は、例えばｅＮＢ８００が使用する複数の周波数帯域にそれぞれ対応してもよい。なお、図１３にはｅＮＢ８００が複数のアンテナ８１０を有する例を示したが、ｅＮＢ８００は単一のアンテナ８１０を有してもよい。
【０１９２】
基地局装置８２０は、コントローラ８２１、メモリ８２２、ネットワークインタフェース８２３及び無線通信インタフェース８２５を備える。
【０１９３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１９４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１９５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９６】
無線通信インタフェース８２５は、図１３に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１３に示したように複数のＲＦ回路８２７を含み、複数のＲＦ回路８２７は、例えば複数のアンテナ素子にそれぞれ対応してもよい。なお、図１３には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９７】
（第２の応用例）
図１４は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１９８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１４に示したように複数のアンテナ８４０を有し、複数のアンテナ８４０は、例えばｅＮＢ８３０が使用する複数の周波数帯域にそれぞれ対応してもよい。なお、図１４にはｅＮＢ８３０が複数のアンテナ８４０を有する例を示したが、ｅＮＢ８３０は単一のアンテナ８４０を有してもよい。
【０１９９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１３を参照して説明したコントローラ８２１、メモリ８２２及びネットワークインタフェース８２３と同様のものである。
【０２００】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１３を参照して説明したＢＢプロセッサ８２６と同様のものである。無線通信インタフェース８５５は、図１４に示したように複数のＢＢプロセッサ８５６を含み、複数のＢＢプロセッサ８５６は、例えばｅＮＢ８３０が使用する複数の周波数帯域にそれぞれ対応してもよい。なお、図１４には無線通信インタフェース８５５が複数のＢＢプロセッサ８５６を含む例を示したが、無線通信インタフェース８５５は単一のＢＢプロセッサ８５６を含んでもよい。
【０２０１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２０２】
また、ＲＲＨ８６０は、接続インタフェース８６１及び無線通信インタフェース８６３を備える。
【０２０３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２０４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１４に示したように複数のＲＦ回路８６４を含み、複数のＲＦ回路８６４は、例えば複数のアンテナ素子にそれぞれ対応してもよい。なお、図１４には無線通信インタフェース８６３が複数のＲＦ回路８６４を含む例を示したが、無線通信インタフェース８６３は単一のＲＦ回路８６４を含んでもよい。
【０２０５】
図１３及び図１４に示したｅＮＢ８００及びｅＮＢ８３０において、図３を参照して説明した監視部２５１、スリープモード要求部２５３、情報取得部２５５、制御部２５７及びフィードバック部２５９、並びに、図４を参照して説明した監視部３５１、スリープモード要求部３５３、情報取得部３５５、制御部３５７及びフィードバック部３５９は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０２０６】
＜５．３．端末装置に関する応用例＞
（第１の応用例）
図１５は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１５に示したように複数のＢＢプロセッサ９１３及び複数のＲＦ回路９１４を含んでもよい。なお、図１５には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２１０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２１１】
アンテナスイッチ９１５の各々は、無線通信インタフェース９１２に含まれる複数の回路（例えば、異なる無線通信方式のための回路）の間でアンテナ９１６の接続先を切り替える。
【０２１２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１５に示したように複数のアンテナ９１６を有してもよい。なお、図１５にはスマートフォン９００が複数のアンテナ９１６を有する例を示したが、スマートフォン９００は単一のアンテナ９１６を有してもよい。
【０２１３】
さらに、スマートフォン９００は、無線通信方式ごとにアンテナ９１６を備えてもよい。その場合に、アンテナスイッチ９１５は、スマートフォン９００の構成から省略されてもよい。
【０２１４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１５に示したスマートフォン９００の各ブロックへ電力を供給する。補助コントローラ９１９は、例えば、スリープモードにおいて、スマートフォン９００の必要最低限の機能を動作させる。
【０２１５】
図１５に示したスマートフォン９００において、図５を用いて説明した処理部４６０は、無線通信インタフェース９１２において実装されてもよい。また、この機能の少なくとも一部は、プロセッサ９０１又は補助コントローラ９１９において実装されてもよい。
【０２１６】
（第２の応用例）
図１６は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１７】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１８】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１９】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２２０】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図１６に示したように複数のＢＢプロセッサ９３４及び複数のＲＦ回路９３５を含んでもよい。なお、図１６には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２２１】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２２２】
アンテナスイッチ９３６の各々は、無線通信インタフェース９３３に含まれる複数の回路（例えば、異なる無線通信方式のための回路）の間でアンテナ９３７の接続先を切り替える。
【０２２３】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図１６に示したように複数のアンテナ９３７を有してもよい。なお、図１６にはカーナビゲーション装置９２０が複数のアンテナ９３７を有する例を示したが、カーナビゲーション装置９２０は単一のアンテナ９３７を有してもよい。
【０２２４】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２５】
バッテリー９３８は、図中に破線で部分的に示した給電ラインを介して、図１６に示したカーナビゲーション装置９２０の各ブロックへ電力を供給する。また、バッテリー９３８は、車両側から給電される電力を蓄積する。
【０２２６】
図１６に示したカーナビゲーション装置９２０において、図５を用いて説明した処理部４６０は、無線通信インタフェース９３３において実装されてもよい。また、この機能の少なくとも一部は、プロセッサ９２１において実装されてもよい。
【０２２７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２２８】
＜＜６．まとめ＞＞
ここまで、図１〜図１６を参照して、本開示の実施形態に係る各ノード及び各処理を説明した。本開示に係る実施形態によれば、スリープモード情報取得部１３１は、基地局をスリープ状態にする複数のスリープモードの中から対象基地局のために選択されたスリープモードを示すスリープモード情報を取得する。そして、スリープモード適用部１３３は、対象基地局のために選択された上記スリープモードを当該対象基地局に適用する。
【０２２９】
これにより、スリープモードを選択するだけで、様々なスリープを実現することが可能になる。即ち、個々の基地局に適したオン／オフ制御をより少ない負担で行うことが可能となる。
【０２３０】
例えば、上記複数のスリープモードは、異なる切り口から基地局をスリープ状態にする２種類以上のスリープモードを含む。
【０２３１】
これにより、スリープモードを選択するだけで、多様な切り口でのスリープを実現することが可能になる。また、様々なスリープを少ない情報量で指定することが可能になる。結果として、送信される情報量が少なくなり、オーバーヘッドが減少し得る。このように、個々の基地局に適したオン／オフ制御をより少ない負担で行うことが可能となる。
【０２３２】
例えば、スリープモード情報取得部１３１は、上記スリープモード情報として、上記複数のスリープモードの中から対象基地局のために選択された２種類以上のスリープモードの組合せを示す情報を取得する。そして、スリープモード適用部１３３は、上記２種類以上のスリープモードの上記組合せを上記対象基地局に適用する。
【０２３３】
これにより、さらに多様な切り口でのスリープを実現することが可能になる。即ち、個々の基地局により適したオン／オフ制御をより少ない負担で行うことが可能となる。
【０２３４】
例えば、スリープモード適用部１３３は、スリープモードのスケジューリングを行うことにより、上記対象基地局のために選択された上記スリープモードを上記対象基地局に適用する。
【０２３５】
第１の例として、スリープモード適用部１３３は、周期的にスリープモードのスケジューリングを行う。
【０２３６】
これにより、例えば、基地局をスリープ状態にすべき具体的な範囲が予め決定されている場合に、自動で確実に基地局をスリープ状態にすることが可能になる。
【０２３７】
第２の例として、スリープモード適用部１３３は、スリープモードの要求に応じて上記スケジューリングを行う。
【０２３８】
これにより、例えば、必要に応じて随時基地局をスリープ状態にすることが可能になる。
【０２３９】
例えば、フィードバック取得部１３５は、対象基地局のために選択されたスリープモードの当該対象基地局への適用に対する評価の結果を示すフィードバック情報を取得する。
【０２４０】
これにより、基地局をスリープ状態にすべき具体的な範囲の決定、及びスリープモードの選択などに、上記フィードバック情報を反映することが可能になる。その結果、例えば、上記範囲の決定、及び上記スリープモードの選択などが、将来より適切に行われ得る。即ち、より高い精度の基地局のスリープが実現され得る。
【０２４１】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０２４２】
例えば、ＳＭＭ（とりわけ、スリープモード情報取得部、スリープモード適用部及びフィードバック取得部）が、基地局とは別の装置として実装される例を説明したが、本開示は係る例に限定されない。ＳＭＭ（とりわけ、スリープモード情報取得部、スリープモード適用部及びフィードバック取得部）は、いずれかの基地局に実装されてもよい。一例として、ＳＭＭは、マクロセル基地局に実装され、当該マクロセル基地局が、当該マクロセル基地局及び１つ以上のスモールセル基地局にスリープモードを適用してもよい。別の例として、ＳＭＭは、いずれかの代表のスモールセル基地局に実装され、当該スモールセル基地局が、当該スモールセル基地局を含む複数のスモールセル基地局にスリープモードを適用してもよい。さらに別の例として、ＳＭＭは、個々の基地局に実装され、当該個々の基地局が、それぞれ自らにスリープモードを適用してもよい。
【０２４３】
また、通信システムがＬＴＥ、ＬＴＥ−Ａｄｖａｎｃｅｄ、又はこれらに準ずる通信方式に従ったシステムである例を説明したが、本開示は係る例に限定されない。例えば、通信システムは、別の通信規格に従ったシステムであってもよい。
【０２４４】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２４５】
また、通信制御装置（ＳＭＭ又は基地局の装置）に内蔵されるＣＰＵ、ＲＯＭ及びＲＡＭ等のハードウェアに、上記通信制御装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行するプロセッサ（例えば、ＣＰＵ）を含む情報処理装置（例えば、処理回路、チップ）も提供されてもよい。
【０２４６】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２４７】
なお、以下のような構成も本開示の技術的範囲に属する。
（１）
基地局をスリープ状態にする複数のスリープモードの中から対象基地局のために選択されたスリープモードを示す情報を取得する取得部と、
前記対象基地局のために選択された前記スリープモードを前記対象基地局に適用する適用部と、
を備える通信制御装置。
（２）
前記複数のスリープモードは、異なる切り口から基地局をスリープ状態にする２種類以上のスリープモードを含む、前記（１）に記載の通信制御装置。
（３）
前記複数のスリープモードは、いずれかの周波数帯域で基地局をスリープ状態にする１つ以上の周波数スリープモードを含む、前記（２）に記載の通信制御装置。
（４）
前記複数のスリープモードは、異なる粒度の周波数帯域で基地局をスリープ状態にする少なくとも２つの周波数スリープモードを含む、前記（３）に記載の通信制御装置。
（５）
前記複数のスリープモードは、いずれかのチャネルで基地局をスリープ状態にする１つ以上のチャネルスリープモードを含む、前記（２）〜（４）のいずれか１項に記載の通信制御装置。
（６）
前記複数のスリープモードは、異なるチャネルで基地局をスリープ状態にする少なくとも２つのチャネルスリープモードを含む、前記（５）に記載の通信制御装置。
（７）
前記複数のスリープモードは、ダウンリンク及びアップリンクの一方又は両方で基地局をスリープ状態にする１つ以上のリンクスリープモードを含む、前記（２）〜（６）のいずれか１項に記載の通信制御装置。
（８）
前記複数のスリープモードは、いずれかの時間に基地局をスリープ状態にする１つ以上の時間スリープモードを含む、前記（２）〜（７）のいずれか１項に記載の通信制御装置。
（９）
前記複数のスリープモードは、異なる粒度の時間で基地局をスリープ状態にする少なくとも２つの時間スリープモードを含む、前記（８）に記載の通信制御装置。
（１０）
前記取得部は、前記スリープモードを示す前記情報として、前記複数のスリープモードの中から前記対象基地局のために選択された２種類以上のスリープモードの組合せを示す情報を取得し、
前記適用部は、前記２種類以上のスリープモードの前記組合せを前記対象基地局に適用する、
前記（２）〜（９）のいずれか１項に記載の通信制御装置。
（１１）
前記取得部は、複数の対象基地局の各々について、前記複数のスリープモードの中から選択されたスリープモードを示す情報を取得し、
前記適用部は、前記複数の対象基地局の各々に、前記複数のスリープモードの中から選択された前記スリープモードを適用する、
前記（１）〜（１０）のいずれか１項に記載の通信制御装置。
（１２）
前記適用部は、前記複数の対象基地局へのスリープモードの適用状況を考慮して、前記複数の対象基地局のうちのいずれかの対象基地局に、無線通信に関する所定の制御パラメータを適用する、前記（１１）に記載の通信制御装置。
（１３）
前記適用部は、スリープモードのスケジューリングを行うことにより、前記対象基地局のために選択された前記スリープモードを前記対象基地局に適用する、前記（１）〜（１２）のいずれか１項に記載の通信制御装置。
（１４）
前記適用部は、周期的に前記スケジューリングを行う、前記（１３）に記載の通信制御装置。
（１５）
前記適用部は、スリープモードの要求に応じて前記スケジューリングを行う、前記（１３）又は（１４）に記載の通信制御装置。
（１６）
前記要求は、基地局による監視の結果に応じて発生する要求であり、
前記監視は、トラフィク量、端末装置数、被干渉レベル及び通信品質のうちのいずれかの監視を含む、
前記（１５）に記載の通信制御装置。
（１７）
前記複数のスリープモードの中から選択された前記スリープモードは、基地局に関する統計情報に基づいて選択されたスリープモードである、前記（１）〜（１６）のいずれか１項に記載の通信制御装置。
（１８）
前記対象基地局のために選択された前記スリープモードの前記対象基地局への適用に対する評価の結果を示すフィードバック情報を取得する取得部をさらに備える、前記（１）〜（１７）のいずれか１項に記載の通信制御装置。
（１９）
基地局をスリープ状態にする複数のスリープモードの中から対象基地局のために選択されたスリープモードを示す情報を取得することと、
プロセッサにより、前記対象基地局のために選択された前記スリープモードを前記対象基地局に適用することと、
を含む通信制御方法。
（２０）
基地局をスリープ状態にする複数のスリープモードの中から選択されたスリープモードを示す情報が提供されると、当該スリープモードを示す当該情報を取得する取得部と、
前記スリープモードに従って基地局の動作を制御する制御部と、
を備える通信制御装置。
【符号の説明】
【０２４８】
１        通信システム
２０      マクロセル
３０      スモールセル
１００    スリープモードマネージャ（ＳＭＭ）
１５１    スリープモード情報取得部
１５３    スリープモード適用部
１５５    フィードバック取得部
２００    マクロセル基地局
２５１    監視部
２５３    スリープモード要求部
２５５    情報取得部
２５７    制御部
２５９    フィードバック部
３００    スモールセル基地局
３５１    監視部
３５３    スリープモード要求部
３５５    情報取得部
３５７    制御部
３５９    フィードバック部
４００    端末装置
４６０    処理部
【図１】
2015061262.tif 000007
【図２】
2015061262.tif 000008
【図３】
2015061262.tif 000009
【図４】
2015061262.tif 000010
【図５】
2015061262.tif 000011
【図６】
2015061262.tif 000012
【図７】
2015061262.tif 000013
【図８】
2015061262.tif 000014
【図９】
2015061262.tif 000015
【図１０】
2015061262.tif 000016
【図１１】
2015061262.tif 000017
【図１２】
2015061262.tif 000018
【図１３】
2015061262.tif 000019
【図１４】
2015061262.tif 000020
【図１５】
2015061262.tif 000021
【図１６】
2015061262.tif 000022